(57)【要約】【課題】ブッシュ本体部分を構成する本体ゴム弾性体の軸方向端部における亀裂の発生が抑えられて、優れた耐久性が発揮されるトーコレクトブッシュを提供すること。【解決手段】ブッシュ本体部分３２を構成するアウタ筒部材１４に縮径加工を施して本体ゴム弾性体１６に加える予圧縮の大きさを軸方向で異ならせて、トーコレクト部分３６が突出する径方向側に位置する本体ゴム弾性体１６の軸方向端面４６の外周縁部５０を予圧縮の大きい領域に位置せしめる一方、それと反対の径方向側に位置する本体ゴム弾性体１６の軸方向端面４６の外周縁部５０をそれよりも予圧縮の小さい領域に位置せしめた。【選択図】図１
2008155874.tif 000002
【特許請求の範囲】
【請求項１】
インナ軸部材とその外方に離隔配置されたアウタ筒部材とを、それらの径方向対向面間に介装された筒状の本体ゴム弾性体で連結することによりブッシュ本体部分を構成する一方、該インナ軸部材の軸方向一方の端部において軸方向外方に傾いて径方向一方向で斜め外方に向かって突出するインナ側傾斜部を設けると共に、前記アウタ筒部材の軸方向一方の端部において軸方向外方に傾いて径方向一方向で斜め外方に向かって突出して該インナ軸部材に対して離隔して対向位置せしめられるアウタ側傾斜部を設けて、それらインナ側傾斜部とアウタ側傾斜部の対向面間をトーコレクトゴム弾性体で連結することによりトーコレクト部分を構成し、更に、該インナ側傾斜部及び該アウタ側傾斜部の突出方向となる径方向で該インナ軸部材を挟んだ両側に位置して、該ブッシュ本体部分を構成する該本体ゴム弾性体における該インナ軸部材と該アウタ筒部材の間を軸方向に延びる第一のスリットと第二のスリットが、該トーコレクト部分と反対の軸方向端面に開口して形成されたトーコレクトブッシュにおいて、
前記ブッシュ本体部分を構成する前記アウタ筒部材に対して縮径加工が施されて前記本体ゴム弾性体に予圧縮が加えられており、且つ該本体ゴム弾性体における予圧縮率が軸方向で異ならされていると共に、該本体ゴム弾性体の前記トーコレクト部分と反対の軸方向他端面における該アウタ筒部材に固着された外周縁部の軸方向位置が周方向で異ならされており、該トーコレクト部分が突出する径方向側に位置する該本体ゴム弾性体の該軸方向他端面の外周縁部が、それと反対の径方向側に位置する該本体ゴム弾性体の該軸方向他端面の外周縁部に比して、該本体ゴム弾性体における予圧縮率が大きい軸方向位置に設定されていることを特徴とするトーコレクトブッシュ。
【請求項２】
前記アウタ筒部材における前記ブッシュ本体部分を構成する部分が、回転対称の円筒形状とされている請求項１に記載のトーコレクトブッシュ。
【請求項３】
前記インナ軸部材の軸方向一方の端部には、全周に亘って軸直角方向外方に広がる拘束板部が設けられており、この拘束板部が周上の一カ所で軸方向斜め外方に向かって傾斜せしめられることにより前記インナ側傾斜部が構成されていると共に、前記本体ゴム弾性体の軸方向一方の端面に該拘束板部が重ね合わされて固着されることにより前記第一及び第二のスリットが軸方向他端面だけに開口する有底形状とされている請求項１又は２に記載のトーコレクトブッシュ。
【請求項４】
前記アウタ筒部材には、前記トーコレクト部分と反対の軸方向端部側において外径寸法の小さい小径部が設けられており、軸方向中央側に位置せしめられた大径部に比して、該小径部では該アウタ筒部材に対する前記縮径加工が大きな縮径率で施されることにより、該大径部よりも該小径部において前記本体ゴム弾性体に対して大きな予圧縮が加えられている一方、該トーコレクト部分が突出する径方向側に位置する該本体ゴム弾性体の前記軸方向他端面の外周縁部が該小径部の内周側に位置せしめられていると共に、それと反対の径方向側に位置する該本体ゴム弾性体の該軸方向他端面の外周縁部が該大径部の内周側に位置せしめられている請求項１乃至３の何れかに記載のトーコレクトブッシュ。
【請求項５】
前記アウタ筒部材には、前記トーコレクト部分側の軸方向端部側において、軸方向中央側の前記大径部よりも小径のくびれ状部が形成されている請求項４に記載のトーコレクトブッシュ。
【請求項６】
前記本体ゴム弾性体の前記軸方向他端面は、前記アウタ筒部材側から前記インナ軸部材側に向かって径方向内方に行くに従って軸方向外方に延び出したテーパ状傾斜面とされており、そのテーパ傾斜角度が周方向の異なる位置で異ならされている請求項１乃至５の何れか一項に記載のトーコレクトブッシュ。
【請求項７】
前記ブッシュ本体部分を構成する前記本体ゴム弾性体には、前記第一のスリットと前記第二のスリットの対向方向に対して直交する径方向で前記インナ軸部材を挟んだ両側において、それぞれ、該インナ軸部材と前記アウタ筒部材の間を軸方向に延びる第三のスリットと第四のスリットが、前記トーコレクト部分と反対の軸方向端面に開口して形成されている請求項１乃至６の何れか一項に記載のトーコレクトブッシュ。
【請求項８】
インナ軸部材とその外方に離隔配置されたアウタ筒部材とを、それらの径方向対向面間に介装された筒状の本体ゴム弾性体で連結することによりブッシュ本体部分を構成する一方、該インナ軸部材の軸方向一方の端部において軸方向外方に傾いて径方向一方向で斜め外方に向かって突出するインナ側傾斜部を設けると共に、前記アウタ筒部材の軸方向一方の端部において軸方向外方に傾いて径方向一方向で斜め外方に向かって突出して該インナ軸部材に対して離隔して対向位置せしめられるアウタ側傾斜部を設けて、それらインナ側傾斜部とアウタ側傾斜部の対向面間をトーコレクトゴム弾性体で連結することによりトーコレクト部分を構成し、更に、該インナ側傾斜部及び該アウタ側傾斜部の突出方向となる径方向で該インナ軸部材を挟んだ両側に位置して、該ブッシュ本体部分を構成する該本体ゴム弾性体における該インナ軸部材と該アウタ筒部材の間を軸方向に延びる第一のスリットと第二のスリットが、該トーコレクト部分と反対の軸方向端面に開口して形成されたトーコレクトブッシュの製造方法であって、
前記ブッシュ本体部分を構成する前記本体ゴム弾性体の前記トーコレクト部分と反対の軸方向他端面における前記アウタ筒部材に固着された外周縁部の軸方向位置が周方向で異ならされてなる、該本体ゴム弾性体の一体加硫成形品を準備し、
該一体加硫成形品における前記アウタ筒部材に対して縮径加工を施して前記本体ゴム弾性体に予圧縮を加えるに際して、該本体ゴム弾性体における予圧縮率を軸方向で異ならせて、
前記トーコレクト部分が突出する径方向側に位置する前記本体ゴム弾性体の該軸方向他端面の外周縁部には大きな予圧縮を及ぼす一方、
それと反対の径方向側に位置する前記本体ゴム弾性体の該軸方向他端面の外周縁部にはそれよりも小さな予圧縮を及ぼす
ことを特徴とするトーコレクトブッシュの製造方法。
【発明の詳細な説明】
【技術分野】
【０００１】
本発明は、自動車のサスペンションブッシュの一種であるトーコレクトブッシュの関連技術に係り、特に、トーションビーム式リジットアクスル型のサスペンション機構に用いられて、左右のトレーリングアームのボデー側への取付部位に装着される新規な構造のトーコレクトブッシュおよびその製造方法に関するものである。
【背景技術】
【０００２】
従来から、自動車におけるトーションビーム式リジットアクスル型のサスペンション機構において、トーションビーム（ツイストビーム又は中間ビームとも言う）で連結された左右のトレーリングアームのボデー側への取付部位に装着されるサスペンションブッシュの一種として、トーコレクトブッシュが知られている。このトーコレクトブッシュは、例えば特開２００６−９６６１６号公報（特許文献１）等に開示されているように、インナ軸部材とアウタ筒部材を本体ゴム弾性体で連結したブッシュ本体部分の軸方向一方の端部において、インナ軸部材とアウタ筒部材からそれぞれ斜め外方に突出するインナ側傾斜部とアウタ側傾斜部をトーコレクトゴムで連結したトーコレクト部分を設けた構造とされている。
【０００３】
このトーコレクトブッシュは、ブッシュ本体部分の中心軸（インナ軸金具およびアウタ筒金具の中心軸）が車両横方向となり、トーコレクト部分が突出する径方向が車両前後方向となる状態で自動車に装着される。これにより、車両のコーナリング時に及ぼされる横方向荷重に対して、トーコレクト部分による分力作用が発揮されて、車輪のトー変化を抑えるなどして車両の走行安定性を向上させることが出来る。
【０００４】
ところが、このようなトーコレクトブッシュにおいては、ブッシュ本体部分を構成する本体ゴム弾性体における特定部位に亀裂等の損傷が発生し易く、かかる損傷によって十分な耐久性を得ることが難しいということが、本発明者によって明らかとなった。具体的には、本体ゴム弾性体のうち、ゴムの外周縁部（アウタへの固着面近く）において、トーコレクト部分が突出する径方向に位置する部分で亀裂などが発生し易いことが認められた。
【０００５】
かかる問題に対して、本発明者が多くの実験と検討を重ねたところ、トーコレクトブッシュに特有のばね特性に起因するものであろうとの新たな知見を得るに至った。即ち、トーコレクトブッシュでは、中心軸に対して自動車の前方又は後方に位置する径方向一方の側だけにトーコレクト部分が形成されていることから、インナ軸金具がアウタ筒金具に対して車両前方に相対変位した場合と、反対に車両後方に相対変位した場合とで、インナ軸金具とアウタ筒金具の径方向の荷重−撓み特性が異なる。具体的には、インナ軸金具がアウタ筒金具に対してトーコレクト部分の突出方向と同じ径方向に相対変位せしめられる場合には、トーコレクトゴムの圧縮ばねが有効に作用するが、それと反対に、インナ軸金具がアウタ筒金具に対してトーコレクト部分の突出方向と反対の径方向に相対変位せしめられる場合には、トーコレクトゴムの圧縮ばねが作用しない。それ故、前者の場合に比して後者の場合（インナ軸金具がアウタ筒金具に対してトーコレクト部分の突出方向と反対の径方向に相対変位せしめられる場合）の方が、インナ軸金具のアウタ筒金具に対する相対的変位量が大きくなる傾向にある。
【０００６】
これに起因して、本体ゴム弾性体のうち、インナ軸金具に対してトーコレクト部分の突出方向となる径方向一方の側に位置する部分では引張変形量が大きくなる一方、それと反対の径方向他方の側に位置する部分では圧縮変形量が大きくなる。なかでも特に、本体ゴム弾性体において、トーコレクト部分を構成する傾斜部による拘束力が及ぼされない、トーコレクト部分と反対側の軸方向端面に亀裂が発生し易いことも確認されている。
【０００７】
なお、一般にゴム弾性体は圧縮変形より引張変形に対する耐久性が低いことから、引張変形量が大きくなる、上記のインナ軸金具に対してトーコレクト部分の突出方向となる径方向一方の側に位置する部分における亀裂の発生が一層問題となり易いが、かといって、本体ゴム弾性体の加硫成形後にアウタ筒金具を大きく縮径させることにより本体ゴム弾性体に大きな予圧縮を加えると、確かに当該部分における引張応力に起因する亀裂の発生は抑えられるが、その代わり、インナ軸金具に対してトーコレクト部分の突出方向と反対の径方向他方の側に位置する部分に作用する圧縮変形量が大きくなり過ぎて、圧縮変形に起因する亀裂が発生し易くなってしまうという問題の発生が、本発明者によって確認されている。従って、単に本体ゴム弾性体に大きな予圧縮を加えることは、上述の如き本体ゴム弾性体における耐久性の問題に有効な解決策を与えるものでない。
【特許文献１】特開２００６−９６６１６号公報
【発明の開示】
【発明が解決しようとする課題】
【０００８】
ここにおいて、本発明は、上述の如き事情を背景として為されたものであって、その解決課題とするところは、車両への装着状態下において、目的とするばね特性を損なうことなく、本体ゴム弾性体における亀裂等の損傷が軽減乃至は回避されて、良好なる耐久性が発揮される新規な構造のトーコレクトブッシュおよびトーコレクトブッシュの製造方法を提供することにある。
【課題を解決するための手段】
【０００９】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することの出来る発明思想に基づいて認識されるものであることが理解されるべきである。
【００１０】
すなわち、本発明の特徴とするところは、インナ軸部材とその外方に離隔配置されたアウタ筒部材とを、それらの径方向対向面間に介装された筒状の本体ゴム弾性体で連結することによりブッシュ本体部分を構成する一方、該インナ軸部材の軸方向一方の端部において軸方向外方に傾いて径方向一方向で斜め外方に向かって突出するインナ側傾斜部を設けると共に、前記アウタ筒部材の軸方向一方の端部において軸方向外方に傾いて径方向一方向で斜め外方に向かって突出して該インナ軸部材に対して離隔して対向位置せしめられるアウタ側傾斜部を設けて、それらインナ側傾斜部とアウタ側傾斜部の対向面間をトーコレクトゴム弾性体で連結することによりトーコレクト部分を構成し、更に、該インナ側傾斜部及び該アウタ側傾斜部の突出方向となる径方向で該インナ軸部材を挟んだ両側に位置して、該ブッシュ本体部分を構成する該本体ゴム弾性体における該インナ軸部材と該アウタ筒部材の間を軸方向に延びる第一のスリットと第二のスリットが、該トーコレクト部分と反対の軸方向端面に開口して形成されたトーコレクトブッシュにおいて、前記ブッシュ本体部分を構成する前記アウタ筒部材に対して縮径加工が施されて前記本体ゴム弾性体に予圧縮が加えられており、且つ該本体ゴム弾性体における予圧縮率が軸方向で異ならされていると共に、該本体ゴム弾性体の前記トーコレクト部分と反対の軸方向他端面における該アウタ筒部材に固着された外周縁部の軸方向位置が周方向で異ならされており、該トーコレクト部分が突出する径方向側に位置する該本体ゴム弾性体の該軸方向他端面の外周縁部が、それと反対の径方向側に位置する該本体ゴム弾性体の該軸方向他端面の外周縁部に比して、該本体ゴム弾性体における予圧縮率が大きい軸方向位置に設定されているトーコレクトブッシュにある。
【００１１】
このような本発明に従う構造とされたトーコレクトブッシュにあっては、ブッシュ本体部分を構成する本体ゴム弾性体において予圧縮の大きい部分と小さい部分が軸方向で異なる位置に設けられている。そして、引張応力に起因すると考えられる亀裂発生等が問題となる部分である、本体ゴム弾性体のトーコレクト部分と軸方向反対側端部のうちでインナ軸部材に対してトーコレクト部分の突出方向となる径方向一方の側に位置する部分であって、そのアウタ筒部材に対して固着された外周縁部が、予圧縮の大きい領域に設定されている。一方、圧縮応力に起因すると考えられる亀裂発生等が問題となる部分である、本体ゴム弾性体のトーコレクト部分と軸方向反対側端部のうちでインナ軸部材に対してトーコレクト部分の突出方向と反対となる径方向他方の側に位置する部分であって、そのアウタ筒部材に対して固着された外周縁部が、予圧縮の小さい領域に設定されている。
【００１２】
これにより、本体ゴム弾性体において、上述の引張応力に起因すると考えられる亀裂発生等が問題となる部分では、大きな予圧縮が及ぼされて、装着状態下の外力作用で生ぜしめられる引張応力が抑えられて、亀裂発生が抑えられる。また、上述の圧縮応力に起因すると考えられる亀裂発生等が問題となる部分では、過大な予圧縮の作用が回避されて、装着状態下の外力作用で生ぜしめられる圧縮応力が抑えられて、亀裂発生が抑えられる。その結果、本体ゴム弾性体ひいてはトーコレクトブッシュの耐久性が有利に確保されるのである。
【００１３】
しかも、本発明に従う構造とされたトーコレクトブッシュでは、亀裂発生防止のために本体ゴム弾性体の弾性変形量を不必要に制限することもないことから、ブッシュ本体部分とトーコレクト部分との何れにおいても、基本的なばね特性等は十分に確保され得る。
【００１４】
また、本発明においては、例えば、前記アウタ筒部材における前記ブッシュ本体部分を構成する部分を、回転対称の円筒形状とした構成が、好適に採用される。これにより、アウタ筒部材の製造や、本体ゴム弾性体の加硫成形後のアウタ筒部材に対する縮径加工を、一層容易に行うことが可能となる。
【００１５】
また、本発明では、前記インナ軸部材の軸方向一方の端部において、全周に亘って軸直角方向外方に広がる拘束板部が設けられており、この拘束板部が周上の一カ所で軸方向斜め外方に向かって傾斜せしめられることにより前記インナ側傾斜部が構成されていると共に、前記本体ゴム弾性体の軸方向一方の端面に該拘束板部が重ね合わされて固着されることにより前記第一及び第二のスリットが軸方向他端面だけに開口する有底形状とされている構成が、好適に採用される。
【００１６】
このような拘束板部を採用することにより、本体ゴム弾性体における軸方向一方側の端部（トーコレクト部分の位置する軸方向側端部）が、そこに固着された拘束板部によって変形拘束されることから、大きな変形が抑えられる。その結果、かかる軸方向一方の端部側でも、本体ゴム弾性体の大きな変形に起因する亀裂等の不具合の発生が効果的に防止される。なお、拘束板部は、インナ軸部材に対して固定的に設けられていれば良く、インナ軸部材に対して一体成形でも別体固着でも良い。
【００１７】
また、本発明において、前記アウタ筒部材には、前記トーコレクト部分と反対の軸方向端部側において外径寸法の小さい小径部が設けられており、軸方向中央側に位置せしめられた大径部に比して、該小径部では該アウタ筒部材に対する前記縮径加工が大きな縮径率で施されることにより、該大径部よりも該小径部において前記本体ゴム弾性体に対して大きな予圧縮が加えられている一方、該トーコレクト部分が突出する径方向側に位置する該本体ゴム弾性体の前記軸方向他端面の外周縁部が該小径部の内周側に位置せしめられていると共に、それと反対の径方向側に位置する該本体ゴム弾性体の該軸方向他端面の外周縁部が該大径部の内周側に位置せしめられている構成が、好適に採用される。
【００１８】
かくの如く、例えば絞り加工前は同一径の円筒形状とされた部分を、単に軸方向で縮径率を異ならせて大径部と小径部を設けることにより、本体ゴム弾性体において予圧縮の小さい部分と大きい部分を軸方向の異なる領域に簡単に設けることが可能となる。なお、好適には、アウタ筒部材における大径部が、サスペンション部材のアームアイ等のブッシュ装着穴に圧入等で固着されて組付けられるようにされる。
【００１９】
また、本発明において、前記アウタ筒部材には、前記トーコレクト部分側の軸方向端部側において、軸方向中央側の前記大径部よりも小径のくびれ状部が形成されている構成が、好適に採用される。このようなくびれ状部をアウタ筒部材に設けることにより、該くびれ状部のリブ作用によって部材強度の向上が図られ得る。また、くびれ状部の開口端部から斜め外方に延び出してアウタ側傾斜部が形成されることにより、アウタ側傾斜のインナ側傾斜部に対する対向面積が、くびれ状部によって径方向内方にまで広がって有利に確保され得て、目的とするトーコレクト作用の向上も図られ得る。
【００２０】
また、本発明において、前記本体ゴム弾性体の前記軸方向他端面は、前記アウタ筒部材側から前記インナ軸部材側に向かって径方向内方に行くに従って軸方向外方に延び出したテーパ状傾斜面とされており、そのテーパ傾斜角度が周方向の異なる位置で異ならされている構成が、好適に採用される。
【００２１】
このようなテーパ状傾斜面をもって本体ゴム弾性体の軸方向他端面を形成することにより、本体ゴム弾性体のゴムボリュームを内周側でも有利に確保できると共に、本体ゴム弾性体のインナ軸部材に固着された内周縁部では、その軸方向位置を全周に亘って揃えることも可能となる。
【００２２】
また、本発明において、前記ブッシュ本体部分を構成する前記本体ゴム弾性体には、前記第一のスリットと前記第二のスリットの対向方向に対して直交する径方向で前記インナ軸部材を挟んだ両側において、それぞれ、該インナ軸部材と前記アウタ筒部材の間を軸方向に延びる第三のスリットと第四のスリットが、前記トーコレクト部分と反対の軸方向端面に開口して形成されている構成が、好適に採用される。
【００２３】
このような第三及び第四のスリットを採用することにより、車両上下方向のブッシュばね特性のチューニング自由度が一層大きく確保される。ところで、これら第三及び第四のスリットを形成すると、第一〜第四の周方向で各隣接するスリット間を径方向に延びる４本の脚部構造の本体ゴム弾性体において、そのゴムボリュームが小さくなることと、スリットによる応力集中作用が惹起されることとに起因して、亀裂等の発生がより大きな問題として懸念される。しかしながら、本発明においては、前述の如く、４本の脚部構造の本体ゴム弾性体において、引張応力が問題となり易い、トーコレクト部分が位置する径方向一方の側では、大きな予圧縮が及ぼされて引張応力の緩和が図られると共に、圧縮応力が問題となり易い、トーコレクト部分と反対の径方向他方の側では、小さな予圧縮とされて過大な圧縮応力の発生が抑えられることから、良好な耐久性も併せて確保することが出来るのである。
【００２４】
また、製造方法に関する本発明の特徴とするところは、インナ軸部材とその外方に離隔配置されたアウタ筒部材とを、それらの径方向対向面間に介装された筒状の本体ゴム弾性体で連結することによりブッシュ本体部分を構成する一方、該インナ軸部材の軸方向一方の端部において軸方向外方に傾いて径方向一方向で斜め外方に向かって突出するインナ側傾斜部を設けると共に、前記アウタ筒部材の軸方向一方の端部において軸方向外方に傾いて径方向一方向で斜め外方に向かって突出して該インナ軸部材に対して離隔して対向位置せしめられるアウタ側傾斜部を設けて、それらインナ側傾斜部とアウタ側傾斜部の対向面間をトーコレクトゴム弾性体で連結することによりトーコレクト部分を構成し、更に、該インナ側傾斜部及び該アウタ側傾斜部の突出方向となる径方向で該インナ軸部材を挟んだ両側に位置して、該ブッシュ本体部分を構成する該本体ゴム弾性体における該インナ軸部材と該アウタ筒部材の間を軸方向に延びる第一のスリットと第二のスリットが、該トーコレクト部分と反対の軸方向端面に開口して形成されたトーコレクトブッシュの製造方法であって、前記ブッシュ本体部分を構成する前記本体ゴム弾性体の前記トーコレクト部分と反対の軸方向他端面における前記アウタ筒部材に固着された外周縁部の軸方向位置が周方向で異ならされてなる、該本体ゴム弾性体の一体加硫成形品を準備し、該一体加硫成形品における前記アウタ筒部材に対して縮径加工を施して前記本体ゴム弾性体に予圧縮を加えるに際して、該本体ゴム弾性体における予圧縮率を軸方向で異ならせて、前記トーコレクト部分が突出する径方向側に位置する前記本体ゴム弾性体の該軸方向他端面の外周縁部には大きな予圧縮を及ぼす一方、それと反対の径方向側に位置する前記本体ゴム弾性体の該軸方向他端面の外周縁部にはそれよりも小さな予圧縮を及ぼすトーコレクトブッシュの製造方法にある。
【００２５】
このような本発明方法に従えば、要求される防振特性やトーコレクト性能等を殆ど低下させることなく、優れた耐久性を有利に得ることの出来る、前述の如き新規な構造のトーコレクトブッシュを効率的に製造して提供することが出来るのである。
【発明を実施するための最良の形態】
【００２６】
以下、本発明を更に具体的に明らかにするために、本発明の実施形態について、図面を参照しつつ、詳細に説明する。
【００２７】
先ず、図１〜３には、本発明の一実施形態としてのトーコレクトブッシュ１０が、示されている。このトーコレクトブッシュ１０は、インナ軸部材としての内筒金具１２とアウタ筒部材としての外筒金具１４が、互いに径方向に離隔して配置されていると共に、それら内外筒金具１２，１４間に本体ゴム弾性体１６が介装されて、両金具１２，１４が弾性的に連結された構造とされている。
【００２８】
より詳細には、内筒金具１２は、ストレートな小径の円筒形状を有しており、軸方向一方（図１中の左方）の端部近くには、拘束板部としての固定プレート１８が固着されている。この固定プレート１８は、プレス金具等の剛性部材で形成されており、中央には装着孔２０が設けられている。そして、装着孔２０に対して内筒金具１２が挿通され、装着孔２０の内周縁部が内筒金具１２に溶着されることによって、固定プレート１８が内筒金具１２に固着されている。
【００２９】
また、固定プレート１８は、図１中の上側の略半周部分が、内筒金具１２から離れるに従って幅広となる略扇形状を有しており、内筒金具１２の中心軸２２に対して傾斜して軸方向斜め外方に向かって突出せしめられている。また、かかるインナ側傾斜部１９は、略全体が、内筒金具１２の中心軸２２に対して略一定の傾斜角度：θａで外方に向かって突設されており、それによって、中心軸２２に対して傾斜した傾斜面が形成されている。即ち、この扇形状の上半部分によってインナ側傾斜部１９が構成されている。なお、インナ側傾斜部１９は、その径方向外方への突出先端部が、軸方向への投影で、外筒金具１４にまで至る大きさで広がっている。
【００３０】
更にまた、固定プレート１８の幅方向両側縁部（図２中の左右両側に相当する各突出先端部分）には、内筒金具１２の軸方向外方に向かって屈曲せしめられた補強リブ２６（図３参照）が一体形成されている。更に、固定プレート１８の下方には、略平板形状で広がって、外筒金具１４の軸方向外方に離隔位置する当接部２７が一体形成されている。
【００３１】
また一方、外筒金具１４は、大径の円筒形状を有しており、内筒金具１２に外挿されることにより、内筒金具１２の径方向外方に離隔して内筒金具１２と同一中心軸（２２）上に配されている。なお、外筒金具１４の軸方向長さは、内筒金具１２よりも短くされており、内筒金具１２の軸方向両端部分が外筒金具１４から軸方向外方に突出せしめられている。また、外筒金具１４の軸方向一方（図１中の左方）の開口周縁部には、径方向外方に突出して周方向に連続して延びるフランジ状部２８が一体形成されている。
【００３２】
そして、フランジ状部２８の周上の一部分（図１，２中の上側部分）には、アウタ側傾斜部３０が形成されている。このアウタ側傾斜部３０は、フランジ状部２８の径方向外方に延長されていると共に、内筒金具１２の中心軸２２に対して前記インナ側傾斜部１９と略同じ傾斜角度：θｂで、外筒金具１４の軸方向外方に傾斜せしめられており、内筒金具１２に突設されたインナ側傾斜部１９に対して斜め軸方向に離隔し、インナ側傾斜部１９に対して略平行に対向位置せしめられている。これにより、本実施形態では、インナ側傾斜部１９とアウタ側傾斜部３０の対向面間距離が、略一定とされている。
【００３３】
また、アウタ側傾斜部３０は、その径方向外方への突出先端縁部が、インナ側傾斜部１９よりも大径の円弧形状とされていると共に、その突出先端縁部の周方向長さも、インナ側傾斜部１９よりも大きくされて、インナ側傾斜部１９の周方向両側に張り出して位置せしめられている。
【００３４】
さらに、本体ゴム弾性体１６は、全体として厚肉の略円筒形状を有しており、内筒金具１２と外筒金具１４の径方向対向面間に介在せしめられている。そして、本体ゴム弾性体１６の内外周面が、内筒金具１２の外周面と外筒金具１４の内周面に対してそれぞれ加硫接着されることにより、本体ゴム弾性体１６が、それら内外筒金具１２，１４を有する一体加硫成形品として形成されている。また、本実施形態では、内外筒金具１２，１４が本体ゴム弾性体１６で連結されることによって、ブッシュ本体部分３２が構成されている。
【００３５】
更にまた、本体ゴム弾性体１６は、インナ側傾斜部１９とアウタ側傾斜部３０の対向面間にも延び出しており、以て、それらインナ側傾斜部１９とアウタ側傾斜部３０の対向面間の全体に亘って充填されたトーコレクトゴム３４が、本体ゴム弾性体１６と一体的に形成されている。なお、本実施形態では、トーコレクトゴム３４の肉厚寸法が、全体に亘って略同じとされている。
【００３６】
なお、このことからも明らかなように、本実施形態では、内筒金具１２を挟んだ径方向一方の側（図１，２中の上側）だけに設けられた固定プレート１８，アウタ側傾斜部３０およびトーコレクトゴム３４によって、内筒金具１２の中心軸２２に直交する軸直角方向（径方向）で非対称なトーコレクト部分３６が構成されている。
【００３７】
また、外筒金具１４は、ブッシュ本体部分３２を構成する筒状部において径寸法が軸方向で異ならされている。具体的には、図１に示されているように、トーコレクト部分３６が位置する側から、小径のくびれ部３５，大径の大径部３７，小径の小径部３９とされている。なお、本実施形態では、くびれ部３５と小径部３９が略同じ径寸法とされている。
【００３８】
特に本実施形態では、くびれ部３５と小径部３９は、何れも、略一定の内外径寸法で軸方向に延びる円筒形状とされている。また、外筒金具１４の軸方向中央部分に位置せしめられた大径部３７は、小径部３９よりも大きな径寸法を有する部分であり、内外径寸法が略一定の円筒形状を有する大径円筒部３７ａの軸方向両側において、くびれ部３５と小径部３９に対して滑らかに内外周面を接続する大径テーパ部３７ｂ，３７ｃが一体形成されている。即ち、本実施形態の外筒金具１４は、そのブッシュ本体部分３２を構成する筒状部がくびれ部３５と大径部３７と小径部３９から形成されており、かかる筒状部が全体として一つの中心軸をもって延びる段付円筒形状とされて、中心軸２２回りの回転体形状とされているのである。
【００３９】
さらに、かかる外筒金具１４は、本体ゴム弾性体１６の加硫成形後に縮径加工が施されることにより、本体ゴム弾性体１６に対して径方向の予圧縮が及ぼされている。ここにおいて、縮径加工前の一体加硫成形品４８が、図４〜５に示されている。これらに図示されているように、本実施形態では、加硫成形に採用される縮径加工前の外筒金具１４は、筒状部においてくびれ部３５に相当する部分だけが、他の部分（大径部３７と小径部３９に相当する部分）に比して小径とされており、大径部３７と小径部３９に相当する部分が一定の内外径を有する円筒形状とされている。
【００４０】
そして、かかる一体加硫成形品４８における外筒金具１４の筒状部に対して、例えば八方絞りや十六方絞り等の金型を用いた絞り加工等の縮径加工を施すことにより、図１〜３に示されている如きトーコレクトブッシュ１０を得ることとなる。本実施形態では、大径部３７と小径部３９に加えて、くびれ部３５にも縮径加工が施される。ここにおいて、大径部３７に加えられる縮径率（即ち、縮径によって本体ゴム弾性体１６に及ぼされる予圧縮率）が、小径部３９に加えられる縮径率と異ならされている。具体的には、縮径率は、例えば下式にて表すことが出来るが、この縮径率が、大径部３７よりも小径部３９において大きくされているのである。なお、くびれ部３５も、適当な量だけ縮径されて、本体ゴム弾性体１６の加硫収縮に起因する引張応力の解消等が図られている。
【００４１】
縮径率  ＝（絞り加工前の外筒金具１４の内径寸法−絞り加工後の外筒金具１４の内径寸法）／絞り加工前の外筒金具１４の内径寸法
即ち、小径部３９および大径部３７の各縮径率は以下のとおりである。
小径部３９の縮径率  ＝  （Ｄ−Ｄａ）／Ｄ
大径部３７の縮径率  ＝  （Ｄ−Ｄｂ）／Ｄ
但し、Ｄａ＜Ｄｂ
【００４２】
一方、本体ゴム弾性体１６は、トーコレクトゴム３４が位置しない部分（即ち、図２中の左右両側や下側の部分）でも、内筒金具１２の外周面に沿って固定プレート１８まで軸方向に延び出しており、以て、固定プレート１８の外周面を被覆するカバーゴム３８が、本体ゴム弾性体１６と一体的に形成されている。特に、固定プレート１８の当接部２７には、軸方向内方に向かって突出するストッパゴム３１が、カバーゴム３８と一体成形されており、このストッパゴム３１を介して、固定プレート１８の当接部２７が外筒金具１４のフランジ状部２８に対して軸方向で打ち当たることにより、軸方向のストッパ機能が発揮されるようになっている。
【００４３】
さらに、本体ゴム弾性体１６には、内外筒金具１２，１４の径方向対向面間を軸方向にそれぞれ延びる第一〜第四のスリットとしての第一〜第四のすぐり部４０，４１，４２，４３が形成されている。特に、本実施形態では、何れのすぐり部４０，４１，４２，４３も、軸方向に略ストレートに延び、且つ軸方向一方の側（トーコレクト部分３６と反対の、図１中の右側に位置する軸方向他端側）だけに開口する有底のポケット形状とされている。
【００４４】
また、これら４つのすぐり部４０，４１，４２，４３は、何れも、図２に示されているように径方向外方に向かって次第に広がる略扇形状の断面で軸方向に延びている。これにより、本体ゴム弾性体１６は、周方向で各隣りあう二つのすぐり部間を径方向に延び出した４本の脚部４４，４４，４４，４４によって内外筒金具１２，１４を径方向で弾性連結する構造とされている。
【００４５】
また、４つのすぐり部４０，４１，４２，４３は、マウント中心軸（内筒金具１２の中心軸）２２を挟んで径方向で対向位置して各対を為す同士が、略対称形状とされている。即ち、マウント中心軸２２を挟んで図２中の上下で対向位置する第一のすぐり部４０と第二のすぐり部４１が相互に略対称の断面形状とされていると共に、マウント中心軸を挟んで図２中の左右で対向位置する第三のすぐり部４２と第四のすぐり部４３が相互に略対称の断面形状とされている。特に、トーコレクト部分３６が径方向に突出する径方向（図２中の上下方向）で内筒金具１２を挟んだ両側に位置する第一のすぐり部４０と第二のすぐり部４１は、第三及び第四のすぐり部４２，４３に比して、周方向に大きく広がる断面形状とされており、以て、互いに直交する二つの径方向で異なるばね特性が設定されている。
【００４６】
また、第一のすぐり部４０と第二のすぐり部４１の内部には、外周内面から径方向内方に向かって突出する弾性当接部４５，４５が、本体ゴム弾性体１６と一体成形されている。これらの弾性当接部４５，４５の内筒金具１２に対する当接により、内外筒金具１２，１４の相対的な径方向変位量を、緩衝的に制限するストッパ機能が発揮されるようになっている。
【００４７】
特に本実施形態では、本体ゴム弾性体１６の一方の軸方向端面（図１中の左側の端面）が、直接に或いはトーコレクトゴム３４と一体化されて、固定プレート１８に対して加硫接着されている。これにより、本体ゴム弾性体１６の軸方向一方の端部では、固定プレート１８によって弾性変形量が抑えられて、過大な歪みに起因する亀裂等の発生が抑えられるようになっている。
【００４８】
一方、本体ゴム弾性体１６の他方の軸方向端面（図１中の右側の端面）は、内外筒金具１２，１４間で全体に亘って自由表面をもって露出されている。そして、この軸方向他端面において、上記第一〜第四のすぐり部４０，４１，４２，４３が開口せしめられている。
【００４９】
ここにおいて、かかる本体ゴム弾性体１６の軸方向他端面は、外筒金具１４から内筒金具１２に向かって径方向内方に行くに従って軸方向外方に延び出したテーパ状傾斜面４６とされている。換言すれば、本体ゴム弾性体１６の軸方向他端面は、内外筒金具１２，１４間でえぐられたような形状とされており、そのえぐられた状態で周方向の全周に亘って延びる部分は、軸方向の深さ寸法が内周部分よりも外周側に行くに従って次第に深くなっているのである。
【００５０】
しかも、この本体ゴム弾性体１６の軸方向他端面において、えぐられた状態の最底部５０の軸方向深さ寸法が、周方向で変化せしめられている。特に本実施形態では、本体ゴム弾性体１６のテーパ状傾斜面４６における傾斜角度が周方向で異ならされることにより、かかる最底部５０の位置が、周上において軸方向に変化せしめられている。
【００５１】
すなわち、本体ゴム弾性体１６の軸方向他端面において、えぐられた状態の最底部５０は、本体ゴム弾性体１６の外筒金具１４への固着部位である外周縁部に位置せしめられているが、この最底部５０の軸方向位置が、マウント中心軸２２の周方向回りで異なっている。特に本実施形態では、トーコレクト部分３６の突出方向となる径方向の位置（図２中の上端位置）で最底部５０が軸方向で最も外方に位置して、えぐられた形状の最底部５０の深さ寸法が最も小さくされている一方、その位置に対して径方向で対向する位置（図２中の下端位置）で最底部５０が軸方向で最も内方に位置して、えぐられた形状の最底部５０の深さ寸法が最も大きくされている。
【００５２】
これにより、図１に示されているように、トーコレクト部分３６の突出方向となる径方向の位置（図２中の上端位置）では、本体ゴム弾性体１６の外筒金具１４への固着部分である外周縁部の位置（即ち、最底部５０の位置）が、外筒金具１４における小径部３９の径方向内方に位置せしめられている。一方、トーコレクト部分３６の突出方向と反対側の径方向の位置（図２中の下端位置）では、本体ゴム弾性体１６の外筒金具１４への固着部分である外周縁部の位置（即ち、最底部５０の位置）が、外筒金具１４における大径部３７の径方向内方に位置せしめられている。特に本実施形態では、図２中の下端位置における最底部５０の位置が、大径部３７において、大径テーパ部３７ｃを超えて大径円筒部３７ａまで至っている。
【００５３】
而して、このような構造とされたトーコレクトブッシュ１０は、例えば、自動車の左右両側の車輪を支持する一対のトレーリングアームを車幅方向（車両左右方向）に延びるトーションビームで相互に連結固定せしめたトーションビーム式サスペンション機構に対して、一対が組み付けられる。即ち、その左右両側のトレーリングアームの各車両前端部分に形成された車幅方向に延びる装着孔に対して、外筒金具１４を圧入固定する一方、内筒金具１２をロッド等を介して車両ボデーに固定することにより、トーコレクトブッシュ１０は、その左右方向が車両左右方向で、上下方向が車両前後方向となる状態で装着される。また、各トレーリングアームの先端部分において、トーコレクト部分３６が、車両左右方向で内方に位置し、且つブッシュ本体部分３２から車両前方に向かって突出せしめられるように、車両中央を前後方向に延びる対称軸（中央線）を挟んで、左右両側の一対のトーコレクトブッシュ１０，１０が互いに対称的に装着される。
【００５４】
かかる装着状態下、車両のコーナリング走行に際して、タイヤから車両左右方向に及ぼされる向心力が各トーコレクトブッシュ１０の内外筒金具１２，１４間の略軸方向に及ぼされることにより、トーコレクト部分３６のインナ側傾斜部１９とアウタ側傾斜部３０の間でトーコレクトゴム３４を介して生ぜしめられる分力に基づいて、トーションビームの変位を抑えて走行安定性の向上が図られ得ることとなるのである。
【００５５】
ところで、上述の如き構造とされたトーコレクトブッシュ１０では、急加減速時や段差乗越時などに入力される車両前後方向の径方向荷重によって、内外筒金具１２，１４が、図２中の上下方向で相対変位せしめられることとなり、繰り返しの荷重入力によって本体ゴム弾性体１６の特定部位における亀裂等の発生が懸念される。この本体ゴム弾性体１６における車両前後方向荷重に伴う歪は、自由表面が大きくされた、トーコレクト部分３６と反対側の軸方向端部（図１中の右側端部）で大きくなり、特に、本体ゴム弾性体１６の外筒金具１４への固着部位である外周縁部付近、即ちテーパ状傾斜面４６によりえぐられた形状とされた軸方向端面の最底部５０に応力集中が惹起される。なかでも、図２中の上下方向において、トーコレクト部分３６の作用により、図２中の上側部分では、特に第一のすぐり部４０の周方向両端部分５２，５２において、引張応力に起因すると考えられる亀裂発生が懸念されると共に、図２中の下側部分では、特に第二のすぐり部４１の周方向両端部分５４，５４において、圧縮応力に起因すると考えられる亀裂発生が懸念される。
【００５６】
ここにおいて、本体ゴム弾性体１６における図２中の上側部分では、歪や応力に起因する亀裂発生が懸念される部分である、テーパ状傾斜面４６によるえぐられた形状とされた軸方向端面の最底部５０が、外筒金具１４における小径部３９の内周側に位置せしめられている。これにより、小径部３９に対する大きな縮径率での縮径加工によって本体ゴム弾性体１６に及ぼされた大きな予圧縮が、かかる亀裂発生の懸念される最底部５０付近の本体ゴム弾性体１６に対して有効に及ぼされている。その結果、かかる最底部５０付近の本体ゴム弾性体１６においては、荷重入力時における引張応力の発生が軽減乃至は回避されることとなり、以て引張に起因する亀裂の発生が防止されて優れた耐久性が発揮されるのである。
【００５７】
また、本体ゴム弾性体１６における図２中の下側部分では、歪みや応力に起因する亀裂が懸念される部位である、テーパ状傾斜面４６によるえぐられた形状とされた軸方向端面の最底部５０が、外筒金具１４における大径部３７の内周側に位置せしめられている。これにより、かかる亀裂発生の懸念される最底部５０付近の本体ゴム弾性体１６には、小径部３９よりも小さい縮径率での大径部の縮径加工によって本体ゴム弾性体１６に及ぼされた、それ程大きくない予圧縮、或いは本体ゴム弾性体１６の加硫成形時の収縮が解消される程度の予圧縮（圧縮率としては略０となることもある）だけが及ぼされている。その結果、かかる最底部５０付近の本体ゴム弾性体１６においては、荷重入力時における圧縮応力の発生が抑えられることとなり、以て圧縮に起因する亀裂の発生が防止されて優れた耐久性が発揮されるのである。
【００５８】
しかも、本発明に従う構造とされたトーコレクトブッシュ１０では、亀裂発生防止のために本体ゴム弾性体１６やトーコレクトゴム３４の弾性変形量を不必要に制限することもないから、ブッシュ本体部分３２とトーコレクト部分３６の何れにおいても、基本的なばね特性や防振性能、トーコレクト作用等が十分に確保され得る。
【００５９】
以上、本発明の実施形態について詳述してきたが、これはあくまでも例示であって、本発明は、かかる実施形態における具体的な記載によって、何等、限定的に解釈されるものではない。
【００６０】
例えば、前記実施形態において、車両装着時に鉛直上下方向に位置せしめられる第三および第四のすぐり部４２，４３は、要求されるばね特性等に応じて設けられるものであって、本発明において必須でない。
【００６１】
また、トーコレクト部分３６において、インナ側傾斜部１９とアウタ側傾斜部３０の傾斜角度を相互に異ならせて設定することも可能であるし、或いは、固定プレート１８を図１中の下方に延び出させることなく周方向の半周形状として、インナ側傾斜部１９だけを形成し、軸方向のストッパ機構を備えていない構造とすることも可能である。
【００６２】
また、図１中の上側に位置する最底部５０の深さ寸法や、図１中の下側に位置する最底部５０の深さ寸法も、要求される防振性能やばね剛性、耐久性等を総合的に考慮して設定されるものである。例えば、図１中の上側に位置する最底部５０を、小径部３９の軸方向中央部分に位置させたり、図１中の下側に位置する最底部５０を大径部３７の軸方向中央部分に位置させたりすることも可能である。
【００６３】
さらに、内筒金具１２と外筒金具１４は、装着状態下に及ぼされる軸直角方向の静的荷重等を考慮して、装着前の非荷重入力状態下で軸直角方向で相対的に偏心配置されていても良い。
【図面の簡単な説明】
【００６４】
【図１】本発明の一実施形態としてのトーコレクトブッシュの縦断面図である。
【図２】図１における右側面図である。
【図３】図１におけるＩＩＩ−ＩＩＩ断面説明図である。
【図４】図１に示されたトーコレクトブッシュの縮径加工が施される前の縦断面図である。
【図５】図４における右側面図である。
【符号の説明】
【００６５】
１０：トーコレクトブッシュ、１２：内筒金具、１４：外筒金具、１６：本体ゴム弾性体、１９：インナ側傾斜部、３０：アウタ側傾斜部、３２：ブッシュ本体部分、３４：トーコレクトゴム、３６：トーコレクト部分、４０：第一のすぐり部、４１：第二のすぐり部、４６：テーパ状傾斜面、５０：最底部
【図１】
2008155874.tif 000003
【図２】
2008155874.tif 000004
【図３】
2008155874.tif 000005
【図４】
2008155874.tif 000006
【図５】
2008155874.tif 000007